(57)【特許請求の範囲】
【請求項１】
光学モジュールと、
支持構造体と、
力発生デバイスと、
を有し、
前記力発生デバイスが、前記光学モジュールと前記支持構造体とに接続され、かつ該光学モジュールに対してクランプ力を作用するように設計された、
特にマイクロリソグラフィのための光学デバイスであって、
力発生デバイスが、光学モジュールに作用する加速度に応じて、それに接続した制御デバイスの制御の下でクランプ力を変更するように設計され、
前記力発生デバイスは、作動圧力を有する作動流体を印加することができる作動チャンバを有する力発生要素を有し、
前記力発生要素は、筋肉要素として設計され、該筋肉要素は、第１の作動圧力で第１の引張力を作用し、該第１の作動圧力に対して高められた第２の作動圧力で、該第１の引張力に対して強められた第２の引張力を作用する
ことを特徴とする光学デバイス。
【請求項２】
前記力発生デバイスに接続した制御デバイスが設けられ、かつ
前記制御デバイスに接続した感知手段が設けられ、
前記感知手段は、前記光学デバイスの作動の状態を表す状態変数の現在値を感知するように設計され、
前記光学モジュールに対して作用される前記力発生デバイスの前記力に対する設定値が、前記状態変数の前記値に応じて事前設定され、
前記制御デバイスは、前記状態変数の前記現在値から生じる現在の設定値に応じて前記クランプ力を設定するように設計され、
特に、前記設定値は、前記状態変数の値の事前設定可能な範囲にわたって実質的に一定であるように準備される、
ことを特徴とする請求項１に記載の光学デバイス。
【請求項３】
前記状態変数は、前記光学モジュールに対して少なくとも１つの自由度で作用する力又は加速度を表す変数であることを特徴とする請求項２に記載の光学デバイス。
【請求項４】
前記力発生デバイスは、予備負荷要素を有し、
前記予備負荷要素は、少なくとも１つの作動状態において、前記力発生要素の前記引張力を相殺する予備負荷力を作用するように設計される、
ことを特徴とする請求項１から請求項３のいずれか１項に記載の光学デバイス。
【請求項５】
前記予備負荷要素は、機械バネデバイス及び／又は流体予備負荷デバイスを含むことを特徴とする請求項４に記載の光学デバイス。
【請求項６】
前記力発生要素は、前記予備負荷要素と機械的に平行に配置されることを特徴とする請求項４又は請求項５に記載の光学デバイス。
【請求項７】
前記光学モジュールは、少なくとも１つの光学要素を含むことを特徴とする請求項１から請求項６のいずれか１項に記載の光学デバイス。
【請求項８】
前記光学モジュールは、前記光学要素を保持する保持デバイスを有し、
前記力発生デバイスは、その力を前記保持デバイスに作用するように設計される、
ことを特徴とする請求項７に記載の光学デバイス。
【請求項９】
前記光学要素は、
一端で前記保持デバイスによって保持された棒形要素であり、又は
外周を有し、かつ該外周の領域内で前記保持デバイスによって保持された要素である、  ことを特徴とする請求項８に記載の光学デバイス。
【請求項１０】
前記力発生要素によって作用される前記力を測定するように設計された力測定手段が設けられることを特徴とする請求項１から請求項９のいずれか１項に記載の光学デバイス。
【請求項１１】
照明デバイスと、
投影パターンを含むマスクを受け取るためのマスクデバイスと、
一群の光学要素を有する投影デバイスと、
基板を受け取るための基板デバイスと、
を有し、
前記照明デバイスが、前記投影パターンを照明するように設計され、かつ
前記光学要素群が、前記投影パターンの像を前記基板上に形成するように設計され、
前記照明デバイス及び／又は前記投影デバイスが、支持構造体を有する光学モジュールと力発生デバイスとを含み、
前記力発生デバイスが、前記光学モジュールと前記支持構造体とに接続され、かつ該光学モジュールに対してクランプ力を作用するように設計された、
特にマイクロリソグラフィのための光学像形成装置であって、
力発生デバイスが、光学モジュールに作用する加速度に応じて、それに接続した制御デバイスの制御の下でクランプ力を変更するように設計され、
前記力発生デバイスは、作動圧力を有する作動流体を印加することができる作動チャンバを有する力発生要素を有し、
前記力発生要素は、筋肉要素として設計され、該筋肉要素は、第１の作動圧力で第１の引張力を作用し、該第１の作動圧力に対して高められた第２の作動圧力で、該第１の引張力に対して強められた第２の引張力を作用する
ことを特徴とする装置。
【請求項１２】
光学モジュールが、支持構造体によって支持され、
クランプ力が、前記光学モジュールと前記支持構造体とに接続した力発生デバイスによって該光学モジュールに対して作用される、
特にマイクロリソグラフィに使用するための光学モジュールに対して力を作用する方法であって、
クランプ力が、光学モジュールに作用する加速度に応じて、制御デバイスの制御の下で変更され、
前記力発生デバイスは、作動圧力を有する作動流体を印加することができる作動チャンバを有する力発生要素を有し、
前記力発生要素は、筋肉要素として設計され、該筋肉要素は、第１の作動圧力で第１の引張力を作用し、該第１の作動圧力に対して高められた第２の作動圧力で、該第１の引張力に対して強められた第２の引張力を作用する
ことを特徴とする方法。
【請求項１３】
前記光学デバイスの作動の状態を表す状態変数の現在値が感知され、
前記光学モジュールに対して作用される前記力発生デバイスの前記クランプ力に対する設定値が、前記状態変数の前記値に応じて事前設定され、
前記制御デバイスは、前記状態変数の前記現在値から生じる現在の設定値に応じて前記クランプ力を設定し、
特に、前記設定値は、前記状態変数の値の事前設定可能な範囲にわたって実質的に一定であるように準備される、
ことを特徴とする請求項１２に記載の方法。
【請求項１４】
前記状態変数は、前記光学モジュールに対して少なくとも１つの自由度で作用する力又は加速度を表す変数であることを特徴とする請求項１３に記載の方法。
【請求項１５】
前記力発生デバイスは、予備負荷要素を有し、
前記予備負荷要素は、少なくとも１つの作動状態において、前記力発生要素の前記力を相殺する予備負荷力を作用する、
ことを特徴とする請求項１２から請求項１４のいずれか１項に記載の方法。
【請求項１６】
前記力発生要素の前記力は測定され、かつ少なくとも１つの予備負荷要素には、前記力発生デバイスによる前記光学モジュールとの接触が行われる前に該力発生要素の事前設定可能な力によって予備負荷が掛けられ、
前記力発生デバイスは、該力発生デバイスと前記光学モジュールの間の接触が、前記力発生要素の前記測定された力の事前設定可能な変化を用いて感知されるまで、該光学モジュールに向けて移動され、かつ
前記力発生要素の前記力は、次に、事前設定可能な値まで低減される、
ことを特徴とする請求項１５に記載の方法。
【請求項１７】
前記予備負荷力は、機械的及び／又は流体的に発生されることを特徴とする請求項１５又は請求項１６に記載の方法。
【請求項１８】
前記光学モジュールは、保持デバイスによって保持された少なくとも１つの光学要素を含み、
前記力発生デバイスの前記力は、前記保持デバイスに対して作用される、
ことを特徴とする請求項１２から請求項１７のいずれか１項に記載の方法。
【発明の詳細な説明】
【技術分野】
【０００１】
本発明は、光学デバイス、この種の光学デバイスを含む光学結像デバイス、及び光学デバイスの光学モジュールに対して力を作用する方法に関する。本発明は、あらゆる望ましい光学デバイス又は光学結像方法に関連して用いることができる。特に、本発明は、マイクロ電子回路の製造に使用されるマイクロリソグラフィに関連して用いることができる。
【背景技術】
【０００２】
特に、マイクロリソグラフィの分野では、とりわけ、使用される可能な最高精度を有する構成要素に対してのみならず、結像デバイスの光学モジュール、すなわち、例えば、レンズ、ミラー、又は格子のような光学要素に加えて、使用されるマスク及び基板をも有するモジュールの位置及び幾何学形状を事前設定された設定値に対して作動中に可能な限り正確に設定するか又はそのような構成要素をこれらのモジュールが調節された状態の位置に保持し、相応に高い品質の像形成を提供することを可能にする必要性が存在する（光学モジュールという用語は、本発明の目的では、単独の光学要素、並びにそのような光学要素と例えば装着部品のような他の構成要素とのアセンブリの両方を意味するように意図している）。
【０００３】
マイクロリソグラフィの分野では、精度要件は、数ナノメートル又はそれ未満の桁の微細領域にある。これらの要件は、特に、製造されるマイクロ電子回路の小型化を推し進めるために、マイクロ電子回路の製造に使用される光学系の分解能を高めることへの絶え間ない要求の結果である。特に、分解能を高めるために高い開口数で作動する最新のリソグラフィシステムでは、高い開口数の利点を十分に利用することを可能にするために、作動は、強く偏光されたＵＶ光を用いて実施される。従って、この場合、光が光学系を通過する間に、光の偏光を維持することは特に重要なことである。この場合、特に問題と考えられるものは、光学要素内の応力によって引き起こされる応力誘起の複屈折であり、この複屈折は、系における極性消失の実質的な部分の原因となる。
【０００４】
例えば、光学要素のような調節済み構成要素をそれが調節された状態の位置に保持するのに、通常は２つの異なる概念が使用される。一方では、光学要素とその支持構造体の間で堅固に接合される接続が使用される。しかし、これらの接続は、ＵＶ光の影響下で起こり得る不十分な長期接続安定性の欠点のみならず、堅固に接合される接続を作り出す段階が、光学要素における望ましくない応力、極性消失、及び従って像が形成される際の品質の劣化をもたらす寄生力を併発する可能性がある（例えば、使用される接着剤の収縮等に起因して）という欠点を間違いなく有する。
代替的に、例えば、クランプ接続のような摩擦接続は、作り出すのが特に簡単であり、特に、ＵＶ光の影響下であったとしても長期安定性に関していかなる問題も引き起こさないので、光学要素と支持構造体の間でこれらの接続が多くの場合に使用される（特に、照明系では）。この場合、一般的に、保持力は、変形された弾性部材などにおける弾性復元力によって生成される。
【０００５】
しかし、そのような摩擦接続には、発生させる保持力を光学要素が調節された状態で予想することができる最大脱調節力に向けて設計すべきであるという事実に根差す問題が存在する。しかし、この最大脱調節力は、当然ながら、特に、悲観的な仮定、すなわち、起こり得る最悪の関連において予想することができる最大脱調節力（場合によっては適切な安全率によって更に高まる）に基づいている。光学デバイスの通常作動中には、主にかなり低い脱調節力が予想されることになるが、一般的に、この最大脱調節力は、輸送中の衝撃の結果として、又は光学デバイスが調節された状態でこの光学デバイスの作動中に発生する異常イベントの結果として発生することが予想される力である。
【０００６】
従って、通常作動中のマイクロリソグラフィ装置の典型的な例では、主に３ｇ（すなわち、地球の重力によって引き起こされる加速度の３倍）という最大加速度が構成要素に対して作用することが予想されることになり、それに対して極端な場合に対する基準として採用されるものは、７ｇ（すなわち、地球の重力によって引き起こされる加速度の７倍）という最大加速度が構成要素に作用する衝撃となる。しかし、保持力は、この極端な場合に適するように設計すべきであるから、通常作動において結果として作用するものは、実際に必要なものよりも高い保持力である。しかし、長期にわたる必要以上に高い保持力は、光学要素内に高い応力を引き起こし、従って、極性消失及びそれに併せて像形成品質の劣化を引き起こす。
【０００７】
上述した関連の光学モジュールの望ましい位置及び／又は幾何学形状を得るために、同様に多くの場合に使用されるものは、構成要素に対して対応する操作力を作用する能動的マニピュレータである。特に、マイクロリソグラフィの分野では、この場合、多くの場合に使用されるものは、圧電アクチュエータ、ローレンツアクチュエータ、又は空気圧蛇腹アクチュエータなどである。しかし、これらの種類のアクチュエータの各々は、無視することができない欠点を有する。
【０００８】
公知の圧電アクチュエータを用いると、広範囲にわたって変更することができる操作力を容易に発生させることができることは確かであると考えられる。しかし、圧電アクチュエータは、使用される圧電要素が、一方では、比較的短い作動行程しか生じず、従って、より長い作動行程には高価な装置を必要とするという欠点を間違いなく有する。他方では、圧電要素は、比較的脆性が高く、せん断応力及び引張応力に影響を受け易く、これは、これらの要素に対して比較的精密に定められた方向にしか荷重を印加することができず、特に、衝撃荷重がある場合は高い損傷の危険性があることを意味する。最後に、圧電要素の比較的高い剛性も、ある一定の用途、特に、マイクロリソグラフィの分野では、寄生力及び寄生モーメントが構成要素に印加されるのを阻止するために、操作される構成要素からの付加的な機械的分離が必要であるという欠点に関わることを意味する。
【０００９】
ローレンツアクチュエータは、その剛性が非常に低いという利点を有することは確かであると考えられる。しかし、欠点は、多くの場合にローレンツアクチュエータが限られた作動行程しか持たず、低い操作力しか生じないことである。また、ローレンツアクチュエータは、比較的高い散逸電力をもたらし、それによって特に熱的に非常に影響を受け易い光学デバイスの場合に問題が生じるか、又は熱除去のための高価な付設が必要である。
【００１０】
空気圧蛇腹アクチュエータは、高い操作力及び必要に応じて長い作動行程をもたらすことができることは確かであると考えられる。しかし、空気圧蛇腹アクチュエータは、比較的大量の空間を占有し、また、損傷危険性を低く保つべき場合には、比較的精密に定められた方向の荷重を受けることしかできないという欠点を間違いなく有する。
【先行技術文献】
【非特許文献】
【００１１】
【非特許文献１】会社案内「Ｉｎｆｏ  ５０１」、「Ｆｅｓｔｏ  ＡＧ  ＆  Ｃｏ．ＫＧ」（ドイツ、エスリンゲン７３７３４）、２００５年／４月
【発明の概要】
【発明が解決しようとする課題】
【００１２】
従って、本発明は、上述の欠点を持たず、又は少なくとも低い程度にしか持たず、特に、容易な方式で作動中の高品質像形成を保証する光学デバイスと、光学結像デバイスと、光学デバイスの光学モジュールに対して力を作用する方法とを提供するという目的に基づいている。
【課題を解決するための手段】
【００１３】
本発明は、一方では、光学モジュールに力を印加するのに、作業チャンバ内に圧力上昇があった場合に収縮を行おうとし、そうすることで強まる引張力を作用する筋肉要素方式で形成された流体力発生要素を用いることにより、特に、高い品質の像形成を容易に達成することができるという発見に基づいている。この種の筋肉要素は、一方では、躍動又は衝撃なしに作動し、従って、光学モジュールに対して特に穏やかに力を作用することを可能にするという利点を有する。これは、次に、装置の他の構成要素が、筋肉要素が作動される時に発生する可能性があるいかなる衝撃によっても影響を受けないという利点を有する。この種の流体筋肉要素の更に別の利点は、作動圧力の上昇時にこれらの要素の長手軸に沿った収縮作動原理の理由から、更に、その得られる引張力の作用の理由から、これらの要素がせん断力に依存し難く、それによって力発生デバイスの設計が大いに簡略化されるという事実にある。このようにして、そのようなせん断力を分離するのに、又は結合された構成要素の互いに対する誘導において、同様に躍動のない方式で作動する従来の流体アクチュエータ（例えば、作動圧力に上昇があった時に圧縮力を作用する従来の蛇腹アクチュエータ）と比較すると、明らかに少ない経費しか伴わない。
【００１４】
第１の態様によると、本発明は、従って、光学モジュール、支持構造体、及び力発生デバイスを有する特にマイクロリソグラフィのための光学デバイスに関する。力発生デバイスは、光学モジュールと支持構造体とに接続され、光学モジュールに対して力を作用するように設計される。力発生デバイスは、作動圧力を有する作動流体を印加することができる作動チャンバを有する流体力発生要素を有する。力発生要素は、第１の作動圧力で第１の引張力を作用し、第１の作動圧力に対して高められた第２の作動圧力に対する第１の引張力に対して強められた第２の引張力を作用する筋肉要素として設計される。
【００１５】
更に別の態様によると、本発明は、照明デバイスと、投影パターンを含むマスクを受け取るためのマスクデバイスと、光学要素群を有する投影デバイスと、基板を受け取るための基板デバイスとを有する特にマイクロリソグラフィのための光学結像デバイスに関する。照明デバイスは、投影パターンを照明するように設計され、それに対して光学要素群は、投影パターンの像を基板上に形成するように設計される。照明デバイス及び／又は投影デバイスは、支持構造体及び力発生デバイスを有する光学モジュールを含む。力発生デバイスは、光学モジュールと支持構造体とに接続され、光学モジュールに対して力を作用するように設計される。また、力発生デバイスは、作動圧力を有する作動流体を印加することができる作動チャンバを有する流体力発生要素を有する。力発生要素は、第１の作動圧力で第１の引張力を作用し、第１の作動圧力に対して高められた第２の作動圧力で、第１の引張力に対して強められた第２の引張力を作用する筋肉要素として設計される。
【００１６】
更に別の態様によると、本発明は、光学モジュールが支持構造体によって支持され、作動圧力を有する作動流体を印加することができる作動チャンバを備えた流体力発生要素を有して光学モジュールと支持構造体とに接続した力発生デバイスによって光学モジュールに対して力が作用される、特にマイクロリソグラフィに使用するための光学モジュールに対して力を作用する方法に関する。力発生要素として使用されるものは、第１の作動圧力で第１の引張力を作用し、第１の作動圧力に対して高められた第２の作動圧力で、第１の引張力に対して強められた第２の引張力を作用する筋肉要素として設計された要素である。
【００１７】
本発明は、他方では、支持構造体と光学モジュールの間のクランプ接続の場合に、制御デバイスの制御下で、特に、光学モジュールに対して作用する加速度に応じてクランプ力を変更することができる場合、この種の筋肉要素が使用されるか否かに関係なく特に高い品質の像形成を提供することができるという認識に基づいている。上述のことは、現在の作動状況がその時点でどのようなものであれ、クランプ力をその状況に適合させることができ、予想することができる最悪の場合の荷重（極めて希にしか発生しないか、又は更には決して発生することのないもの）に対して必要とされるクランプ力に恒久的に対応する必要がないという利点を有する。言い換えれば、この手段により、長期の作動にわたって、同等の従来の光学デバイスにおけるものと比較してかなり低いクランプ力しか用いない作動を行うことができる。その結果、光学モジュールに対して作用して像形成の品質低下（例えば、応力誘起の複屈折に起因するもの）を生じる可能性がある応力は、低いクランプ力に起因して、言及した種類の極端な作動条件（例えば、高い衝撃負荷など）が存在しない通常作動状況においては明らかに低いものである。
【００１８】
また、この手段により、クランプ力を光学モジュールに対して作用する加速度に応じて少なくともある一定の期間一定に保持し、そうすることで光学モジュールに対して作用する全体的な力（すなわち、クランプ力及び慣性力）の光学モジュールの光学特性に対する影響を可能な限り一定に保つことも可能である。このようにして、例えば、光学モジュールの加速度、及びそこから得られる高い接触力（光学モジュールに対して作用する慣性力の結果である）に起因して、光学モジュールを定位置に保持するクランプ作用の領域に低下したクランプ力のみが依然として必要とされる場合に、クランプ力の低減をもたらすことができる。
【００１９】
本発明のこれらの変形では、所定の加速度は、任意の自由度で、かつ必要とされるだけ多くの自由度（３次元空間では全６つの自由度まで）と共に考慮することができることは言うまでもない。
【００２０】
光学デバイスの作動中のクランプ力のこの能動的な変動は、クランプ力を発生させる手法に依存しないことにも言及しておきたい。必要なことは、適切な制御デバイスによって作動中にクランプ力を能動的に変更することができるという事実のみである。クランプ力の発生に対しては、あらゆる望ましい作動原理を考慮することができる。用いることができるものは、特に、十分に公知である電気又は電気機械力発生要素（例えば、圧電アクチュエータ、ローレンツアクチュエータ等）、又は流体力発生要素（例えば、ピストンアクチュエータ、振動板アクチュエータ、又は蛇腹アクチュエータ、流体筋肉要素等）である。
【００２１】
更に別の態様によると、本発明は、従って、光学モジュールと、支持構造体と、力発生デバイスとを有し、力発生デバイスが、光学モジュールと支持構造体とに接続され、かつ光学モジュールに対してクランプ力を作用するように設計された特にマイクロリソグラフィのための光学デバイスに関する。力発生デバイスは、それに接続した制御デバイスの制御下でクランプ力を変更するように設計される。
【００２２】
更に別の態様によると、本発明は、照明デバイスと、投影パターンを含むマスクを受け取るためのマスクデバイスと、光学要素群を有する投影デバイスと、基板を受け取るための基板デバイスとを有し、照明デバイスが、投影パターンを照明するように設計され、それに対して光学要素群が、投影パターンの像を基板上に形成するように設計された特にマイクロリソグラフィのための光学結像デバイスに関する。照明デバイス及び／又は投影デバイスは、支持構造体を有する光学モジュールと力発生デバイスとを含む。力発生デバイスは、光学モジュールと支持構造体とに接続され、光学モジュールに対して力を作用するように設計される。力発生デバイスは、それに接続した制御デバイスの制御下でクランプ力を変更するように設計される。
【００２３】
更に別の態様によると、本発明は、光学モジュールが支持構造体によって支持され、光学モジュールと支持構造体とに接続した力発生デバイスによって光学モジュールに対してクランプ力が作用され、クランプ力が制御デバイスの制御下で変更される、特にマイクロリソグラフィに使用するための光学モジュールに対して力を作用する方法に関する。
本発明の他の好ましい実施形態は、従属請求項から及び添付図面を参照する以下の好ましい実施形態の説明から明らかになるであろう。
【図面の簡単な説明】
【００２４】
【図１】本発明による光学デバイスを含み、かつ本発明による力を作用する方法の好ましい実施形態を実施することができる本発明による光学結像デバイスの好ましい実施形態の概略図である。
【図２】図１に示す結像デバイスの本発明による光学デバイスの好ましい実施形態の一部の大幅に一般化した概略図である。
【図３】図２に示す光学デバイスを用いて実施することができる力を作用する本発明による方法の好ましい実施形態のブロック図である。
【図４】図１に示す結像デバイスの本発明による光学デバイスの更に別の好ましい実施形態の一部の概略図である。
【図５】図４に示す光学デバイスを用いて実施することができる本発明による力を作用する方法の好ましい実施形態のブロック図である。
【図６】図１に示す結像デバイスの本発明による光学デバイスの更に別の好ましい実施形態の一部の概略図である。
【図７】図１に示す結像デバイスの本発明による光学デバイスの更に別の好ましい実施形態の一部の概略図である。
【図８】図１に示す結像デバイスの本発明による光学デバイスの更に別の好ましい実施形態の一部の概略図である。
【発明を実施するための形態】
【００２５】
第１の実施形態
以下では、図１から図３を参照して、マイクロリソグラフィのための本発明による光学結像デバイスに使用される本発明による光学デバイスの好ましい実施形態を以下に説明する。
図１は、ＵＶ範囲の波長１９３ｎｍの光によって作動するマイクロリソグラフィ装置の形態にある本発明による光学結像デバイスの好ましい実施形態の概略図である。
【００２６】
マイクロリソグラフィ装置１０１は、照明系１０２，マスク台１０３の形態にあるマスクデバイス、光軸１０４．１を有する対物系１０４の形態にある光学投影システム、及びウェーハ台１０５の形態にある基板デバイスを含む。照明系１０２は、マスク台１０３上に配置されたマスク１０３．１を波長１９３ｎｍの投影光ビーム（詳細には示していない）で照明する。マスク１０３．１上には、投影光ビームにより、対物系１０４に配置された光学要素を通じてウェーハ台１０５上に配置されたウェーハ１０５．１の形態にある基板上に投影される投影パターンが置かれる。
【００２７】
照明系１０２は、光源（示していない）以外に、特に、棒形の光学要素１０６．１を含む第１の光学活性構成要素群１０６も備える。１９３ｎｍという作動波長の理由から、光学要素１０６．１は屈折要素である。
対物系１０４は、特に、例えば、光学要素１０７．１のような一連の光学要素を含む第２の光学活性要素群１０７を含む。第２の群１０７内の光学活性構成要素は、対物系１０４のハウジング１０４．２内に堅持される。１９３ｎｍという作動波長の理由から、光学要素１０７．１は屈折光学要素、すなわち、レンズなどである。しかし、本発明の他の変形では、例えば、反射又は回折光学要素のようなあらゆる望ましい他の光学要素を用いることができることは言うまでもない。同様に、当然ながら、そのような光学要素のあらゆる望ましい組合せを用いることができる。
【００２８】
図２は、光学モジュール１０９，支持構造体１１０，及び力発生デバイス１１１を含む本発明による光学デバイス１０８の非常に概略的な図である。支持構造体１１０は、光学モジュール１０９を支持する。この目的のために、支持構造体１１０は（並びに必要に応じて他の支持要素も）、力発生デバイス１１１によって光学モジュール１０９に接続される。光学モジュール１０９は、レンズ１０７．１（及び必要に応じて、例えば、力発生デバイス１１１が係合するレンズ１０７．１に接続した保持デバイスのような他の構成要素）を含む。
【００２９】
力発生デバイス１１１の目的は、力Ｆを光学モジュール１０９に対して作用することである。この目的のために、力発生デバイス１１１は、流体力発生要素１１１．１を含む。この目的のために、力発生デバイス１１１．１は、制御デバイス１１２によって作動流体を印加することができる作動チャンバ１１１．２を有する。以下に詳細に説明するように、制御デバイス１１２は、力発生要素１１１．１によって光学モジュール１０９に対して作用される力Ｆに応じて作動チャンバ１１１．２に供給される作動流体の作動圧力を設定する。
【００３０】
力発生要素１１１．１は、作動チャンバ１１１．２内に第１の作動圧力ｐ1が存在する時に第１の引張力Ｆ1を作用し、作動チャンバ１１１．２内に第１の作動圧力ｐ1に対して高められた第２の作動圧力ｐ2が存在する時に第１の引張力Ｆ1に対して強められた第２の引張力Ｆ1を作用する（すなわち、ｐ1＜ｐ2に対して印加されるものは、Ｆ1＜Ｆ2である）筋肉要素の方式で形成される。上述のことが機械的制約条件によって許される限り、力発生要素１１１．１は、作動圧力に上昇がある時にその長手軸１１１．３に沿って収縮を行う。従って、エネルギの給入がある時には、力発生要素１１１．１は、その縦方向に収縮を行い（人間の筋肉と同様に）、同時に強まる引張力Ｆを印加する。
【００３１】
作動流体は、液体媒体及び気体媒体の両方とすることができる。これらの変形の両方が、用途に依存して有利とすることができる。達成する役割を常に有する可能性があるものは、特に、光学モジュール１０９と支持構造体１１０の間の接続に必要とされる剛性である。例えば、支持構造体１１０への光学モジュール１０９の特に、剛性が高い接続が有利な場合には、好ましくは液体媒体が使用され、それに対して低い剛性を必要とする場合には、その圧縮性に起因して気体媒体が好ましい。
【００３２】
上述の種類の流体筋肉要素は、十分に公知であり、従って、本明細書ではこれ以上詳細に説明しないことにする。一般的に、流体筋肉要素は、ほぼ円筒形の作動チャンバであり、少なくとも１つの弾性流体密封壁と円筒軸に対して傾斜方式で配置された引張要素から成る１つのメッシュ又は織物構造体（例えば、ワイヤ、耐破損性フィラメント等）との組合せによって閉ざされた作動チャンバを含む。作動チャンバ内の圧力が高まった場合には、作動チャンバは、半径方向に膨張する（すなわち、その縦方向に対して横向きに）。この半径方向の膨張により、引張要素は、それ自体を円筒形の作動チャンバの周囲の方向によりはっきりと整列させ、これは、それによって作動チャンバの長手軸に沿って収縮が生じることを意味する。この種の流体筋肉要素の例は、「Ｆｌｕｉｄｉｃ  Ｍｕｓｃｌｅ  ＤＭＳＰ」又は「Ｆｌｕｉｄｉｃ  Ｍｕｓｃｌｅ  ＭＡＳ」という名称の下で販売され、「Ｆｅｓｔｏ  ＡＧ  ＆  Ｃｏ．ＫＧ」（ドイツ、エスリンゲン７３７３４）によって発行された会社案内「Ｉｎｆｏ  ５０１」（２００５年／４月発行）内に説明されている「Ｆｅｓｔｏ  ＡＧ  ＆  Ｃｏ．ＫＧ」（ドイツ、エスリンゲン７３７３４）によって生産される空気圧筋肉要素を代表しており、上述の文献の全開示内容は本明細書に引用によって組み込まれている。
【００３３】
筋肉要素１１１．１は、一方で、躍動又は衝撃なしに作動し、従って、光学モジュール１０９に対して特に穏やかに力Ｆを作用することが可能になるという利点を有する。これは、次に、筋肉要素１１１．１が作動される時に光学デバイス１０８の他の構成要素におけるいかなる偶発的な衝撃による影響も存在しないという利点を有する。筋肉要素１１１．１の更に別の利点は、作動圧力に上昇があった場合のその長手軸１１１．３に沿った収縮作動原理の理由から、更にその得られる引張力の作用の理由から筋肉要素１１１．１がせん断力に依存し難く、それによって力発生デバイス１１１の設計が大いに簡略化されるという事実にある。このようにして、この種のせん断力を分離するのに、又は結合された構成要素（すなわち、この場合は光学モジュール１０９と支持構造体１１０）の互いに対する誘導において、同じく躍動のない方式で作動する従来の流体アクチュエータ（例えば、作動圧力に上昇があった時に圧縮力を作用する従来の蛇腹アクチュエータ）と比較すると、明らかに少ない経費しか伴わない。
【００３４】
力発生要素１１１．１よって光学モジュール１０９に対して作用される力Ｆが能動的に影響を受けることを可能にするために、制御デバイス１１２に接続した感知手段１１３が設けられる。感知手段１１３は、光学デバイス１０８の作動状態を表す状態変数の現在値を感知する。
この状態変数は、一方では、光学モジュール１０９に対して力発生要素１１１．１の力の作用が影響を及ぼす可能性があるいずれかの望ましい変数とすることができる。この状態変数は、例えば、感知手段１１３によって感知され、光学モジュール１０９に対して力発生要素１１１．１の力の作用が影響を及ぼす可能性があるマイクロリソグラフィ装置１０１における結像誤差を表す変数とすることができる。従って、力発生要素１１１．１の力の作用は、例えば、レンズ１０７．１の位置及び／又は向き（各々が、事前設定基準に対する）、及び／又はその幾何学形状に影響を及ぼす可能性があり、これらのファクタは、更にマイクロリソグラフィ装置１０１における結像誤差に影響を及ぼす。しかし、同様に、この状態変数は、光学モジュール１０９に対して作用される力又はモーメントとすることができる。
【００３５】
しかし、状態変数は、力発生要素１１１．１の力の作用とはそれ自体が独立したいずれかの望ましい変数とすることができる。状態変数は、例えば、光学デバイスに対して作用する加速度を表す変数とすることができる。同様に、状態変数は、光学モジュール１０９又は支持構造体１１０における温度を表す変数、又は光学モジュール１０９及び／又は支持構造体１１０を取り囲む雰囲気の状態変数（例えば、圧力、温度等）を表す変数とすることができる。
【００３６】
感知手段１１３は、感知したこの状態変数の現在値を制御デバイス１１２に供給する。制御デバイス１１２は、状態変数の現在値を現在の作動状態に向けて事前設定された状態変数に対する設定値と比較し、望ましい値と実際の値の間の既存のあらゆる差が相殺されるように作動チャンバ１１１．２内の作動圧力を設定する。
この手順は、その上に重ね合わせられた更に別の調整回路を有することができる。従って、制御デバイス１１２は、例えば、力発生要素１１１．１の力の作用目的に依存して更に別の変数を感知して制御デバイス１１２へと送信するセンサデバイス１１２．１を有することができ、次に、制御デバイス１１２は、この更に別の変数を用いることによって作動チャンバ１１１．２内の作動圧力を設定する。
【００３７】
力発生要素１１１．１の力の作用目的が、例えば、主に正確に事前設定された力の発生であった場合は（例えば、レンズ１０７．１の精密に定められた変形を得るための）、センサデバイス１１２．１は、力発生要素１１１．１が光学モジュールに対して作用する力を測定するように設計することができる。従って、センサデバイス１１２．１は、例えば、力測定セルなどの形態を取ることができる。
しかし、力発生要素１１１．１の力の作用目的が、例えば、主に正確に事前設定されたシフトの発生であった場合は（例えば、レンズ１０７．１における精密に定められた位置及び／又は向きを得るための）、センサデバイス１１２．１は、力発生要素１１１．１の力の作用の得られるシフトを測定するように設計することができる。従って、センサデバイスは、上述のものに伴ってあらゆる望ましい原理に従って作動する適切な行程測定手段（例えば、干渉計、符号化器、容量性行程計等）とすることができる。
【００３８】
重ね合わせられた更に別の調整回路が存在する上述の場合には、センサデバイス１１２．１によって感知される更に別の変数における望ましい値は、例えば、感知手段１１３によって感知される状態変数の望ましい値に応じて事前設定することができる。変形において、例えば、感知手段１１３によって感知された結像誤差を補正するために、レンズ１０７．１のある一定のシフト及び／又は変形を必要とする場合には、必要とされるこのシフト及び／又は変形を重ね合わせられた調整回路のための設定値として用いることができる。別の変形では、光学モジュール１０９を事前設定位置に保持するために、感知手段１１３によって感知された光学デバイス１０８に対して作用する加速度に応じて、ある一定のクランプ力を力発生デバイス１１１によって印加することを必要とする可能性がある。この場合、この事前設定クランプ力から力発生要素１１１．１の事前設定力が得られ、この事前設定力をその後重ね合わせ調整回路のための設定値として用いることができる。
【００３９】
力発生要素１１１．１以外に、力発生デバイス１１１は、力発生デバイス１１１が光学モジュール１０９に対して作用する力を力発生要素１１１．１と共に定める他の力発生構成要素を含むことができる。更に、別のこの種の力発生構成要素は、能動的又は受動的構成要素とすることができる。例えば、図２に破線の外形によって示しているものは、能動的予備負荷要素１１１．４の形態にある能動的力発生構成要素であり、この構成要素も同様に支持構造体１１０に接続され、力発生要素１１１．１からの力Ｆを相殺する予備負荷力ＦVを光学モジュール１０９に対して作用する（制御デバイス１１２の制御の下で）。この場合、光学モジュールに対して作用される得られる力ＦRは、次式のように計算される（図２における力に対して示している方向が与えられたものとして）。
ＦR＝Ｆ−ＦV          （１）
予備負荷要素（図２に示しているような）は、力発生要素１１１．１と運動学的に直列に配置することができる。しかし、この種の予備負荷要素を力発生要素１１１．１と運動学的に平行に同様に良好に配置することができることは言うまでもない。平行に配置された場合には、予備負荷要素は、光学モジュール１０９に対して力発生要素１１１．１の引張力を相殺する圧縮力を作用するように設計される。
【００４０】
上述のように、予備負荷要素１１１．４は、制御デバイス１１２の制御下で調節することができる予備負荷力ＦVを有する能動的要素である。予備負荷要素１１１．４は、能動的に調節することができる力を発生させるあらゆる望ましい要素とすることができる。特に、予備負荷要素１１１．４は、電気又は電気機械要素（例えば、圧電アクチュエータ、ローレンツアクチュエータ等）、又は前と同様に流体力発生要素（例えば、ピストンアクチュエータ、振動板アクチュエータ、又は蛇腹アクチュエータ等）であり、特に、更に別の流体筋肉要素とすることができる。
【００４１】
しかし、特に、単純な設計のものである本発明の変形では、予備負荷要素１１１．４は、例えば、単純な機械的又は空気圧バネ要素のような受動的力発生要素とすることができることは言うまでもない。
また、複数の力発生デバイス１１１を光学モジュール１０９と係合させることができることも言うまでもない。例えば、光学モジュール１０９の（従って、同様にレンズ１０７．１の）周囲を巡って分散され（好ましくは均等に）、光学モジュール１０９の平面内で作用し、光学モジュール１０９の（従って、レンズ１０７．１の）位置及び向きを光学モジュール１０９の平面内で３つの自由度（２つの平行移動自由度及び１つの回転自由度）で設定することができる３つの力発生デバイス１１１を設けることができる。この場合、光学モジュール１０９は、光学モジュール１０９及び支持構造体１１０と係合する付加的な受動的支持構造体によって誘導することができることは言うまでもない。
【００４２】
図３は、マイクロリソグラフィ装置１０１を用いて実施され、光学モジュールに対して力を作用する方法の好ましい実施形態が使用される結像工程の流れ図である。
最初に、この工程の実行は、段階１１５．１で始まる。次に、段階１１５．２では、図１に示しているマイクロリソグラフィ装置１０１の構成要素が、上述したマスク１０３．１内の投影パターンの像の形成を基板１０５．１上で行うことができる状態に誘導される。
【００４３】
結像段階１１５．３では、段階１１５．４における基板１０５．１の露光と平行して、上述した感知手段１１３による状態変数の現在値の感知、及び上述したこの現在値と現在の作動状態に向けて事前設定された望ましい値との比較が行われる。
次に、段階１１５．５では、制御デバイス１１２は、力発生デバイス１１１が光学モジュール１０９に対して適切な力を作用するように、上述の手法で力発生要素１１１．１を制御する。
段階１１５．５に続いて段階１１５．６では、更に別の結像段階を依然として行う必要があるか否かを判断するために検査が行われる。この必要がなかった場合には、工程の実行は、段階１１５．７において終了される。そうではない場合には、ジャンプが行われて段階１１５．３に戻る。
【００４４】
第２の実施形態
以下では、本発明による光学デバイスの更に別の好ましい実施形態１１６を図１及び図４を参照して説明する。光学デバイス１１６は、照明系１０２の一部であり、棒形の光学要素１０６．１の形態にある光学モジュール及び支持構造体１１７を含む。光学要素１０６．１は、力発生デバイス１１８によって支持構造体１１７に接続される。
力発生デバイス１１８の目的は、光学モジュール１０６．１に対してクランプ力ＦRを作用し、そうすることで、外力が光学モジュール１０６．１に対して作用する時でさえも、支持構造体１１７に対して光学モジュール１０６．１をその事前設定位置に保持することである。この目的のために、力発生デバイス１１８は、ここでもまた、流体力発生要素１１８．１を含む。力発生要素１１８．１は、制御デバイス１１２によって作動流体を印加することができる作動チャンバ１１８．２を有する。ここでもまた、制御デバイス１１２は、力発生要素１１８．１によって作用すべきである力Ｆに応じて作動チャンバ１１８．２に供給される作動流体の作動圧力を設定する。
【００４５】
前と同様に、力発生要素１１８．１は、作動チャンバ１１８．２内に第１の作動圧力ｐ1が存在する時に第１の引張力Ｆ1を作用し、作動チャンバ１１１．２内に第１の作動圧力ｐ1に対して高められた第２の作動圧力ｐ2が存在する時に第１の引張力Ｆ1に対して強められた第２の引張力Ｆ1を作用する（すなわち、ｐ1＜ｐ2に対して印加されるものは、Ｆ1＜Ｆ2である）筋肉要素の方式で設計される。上述のことが機械的制約条件によって許される限り、力発生要素１１８．１は、作動圧力に上昇がある時にその長手軸１１８．３に沿って収縮を行う。従って、エネルギの給入がある時には、力発生要素１１８．１は、その縦方向に収縮を行い（人間の筋肉と同様に）、同時に強まる引張力Ｆを印加する。
【００４６】
作動流体は、液体媒体及び気体媒体の両方とすることができる。これらの変形の両方が、用途に依存して有利とすることができる。達成する役割を特に有する可能性があるものは、特に、光学モジュール１０６．１と支持構造体１１７の間の接続に必要とされる剛性である。例えば、支持構造体１１７への光学モジュール１０６．１の特に剛性が高い接続が有利な場合には、好ましくは液体媒体が使用され、それに対して低い剛性を必要とする場合には、その圧縮性に起因して気体媒体が好ましい。
【００４７】
上述の種類の流体筋肉要素は、十分に公知であり、従って、本明細書ではこれ以上詳細に説明しないことにする。上述の種の流体筋肉要素の例は、「Ｆｌｕｉｄｉｃ  Ｍｕｓｃｌｅ  ＤＭＳＰ」又は「Ｆｌｕｉｄｉｃ  Ｍｕｓｃｌｅ  ＭＡＳ」という名称の下で販売され、「Ｆｅｓｔｏ  ＡＧ  ＆  Ｃｏ．ＫＧ」（ドイツ、エスリンゲン７３７３４）によって発行された会社案内「Ｉｎｆｏ  ５０１」（２００５年／４月発行）内に説明されている「Ｆｅｓｔｏ  ＡＧ  ＆  Ｃｏ．ＫＧ」（ドイツ、エスリンゲン７３７３４）によって生産される空気圧筋肉要素によって与えられており、上述の文献の全開示内容は、本明細書に引用によって組み込まれている。
【００４８】
筋肉要素１１８．１は、一方では、躍動又は衝撃なしに作動し、従って、光学モジュール１０６．１に対して特に穏やかに力Ｆを作用することが可能になるという利点を有する。これは、次に、筋肉要素１１８．１が作動される時に光学デバイス１１６の他の構成要素におけるいかなる偶発的な衝撃による影響も存在しないという利点を有する。筋肉要素１１８．１の更に別の利点は、作動圧力に上昇があった場合のその長手軸１１８．３に沿った収縮作動原理の理由から、更に、その得られる引張力の作用の理由から筋肉要素１１８．１がせん断力に依存し難く、それによって力発生デバイス１１８の設計が大いに簡略化されるという事実にある。このようにして、この種のせん断力を分離するのに、又は結合された構成要素（すなわち、この場合は光学モジュール１０６．１と支持構造体１１７）の互いに対する誘導において、同じく躍動のない方式で作動する従来の流体アクチュエータ（例えば、作動圧力に上昇があった時に圧縮力を作用する従来の蛇腹アクチュエータ）と比較すると、明らかに少ない経費しか伴わない。
【００４９】
力発生要素１１８．１よって作用される力Ｆが能動的に影響を受けることを可能にするために、制御デバイス１１２に接続した感知手段１１３が設けられる。この実施形態では、感知手段１１３は、クランプ力ＦRの方向に対して横向きに光学デバイス１１６に対して作用する加速度ａの現在値を感知する（光学デバイス１１６の作動状態を表す実際の状態変数値として）。
感知手段１１３は、感知したこの加速度の現在値を制御デバイス１１２へと供給する。制御デバイス１１２は、加速度ａの現在値を用いてクランプ力に対する設定値ＦRSを判断し、クランプ力に対する設定値ＦRSとその実際の値ＦRの間の既存のあらゆる差が相殺されるように作動チャンバ１１８．２内の作動圧力を設定する。
【００５０】
この目的のために、クランプ力のための更に別の調整回路が設けられる。制御デバイス１１２は、力発生要素１１８．１と運動学的に直列に配置された力発生要素１１８．１によって作用される力Ｆを測定するセンサデバイス１１２．１を含む。従って、センサデバイス１１２．１は、例えば、力測定セルなど形態を取ることができる。
上述のように、クランプ力に対する設定値ＦRSは、制御デバイス１１２内で、感知手段１１３によって感知される加速度ａに応じて事前設定される。次に、制御デバイス１１２は、クランプ力の実際の値ＦRが設定値ＦRSと同じになるまで作動流体の作動圧力を修正する。
【００５１】
力発生要素１１８．１以外に、力発生デバイス１１８は、力発生デバイス１１８が光学モジュール１０６．１に対して作用する力を力発生要素１１８．１と共に定める予備負荷要素１１８．４の形態にある更に別の力発生構成要素も備える。予備負荷要素１１８．４は、力発生要素１１８．１と運動学的に平行に配置された力発生要素１１８．１の長手軸１１８．３と共直線で延びる長手軸を有する単純な機械バネとして設計される。
力発生要素１１８．１及び予備負荷要素１１８．４の各々は、一方で門形枠１１８．５に接続され、他方でクランプ板１１８．６に接続される。装着状態では、門形枠１１８．５は、支持構造体１１７に固定され、クランプ板１１８．６は、光学モジュール１０６．１と接触状態にある。
【００５２】
図示の実施形態では、予備負荷要素１１８．４は、装着状態で圧縮され、従って、光学モジュール１０６．１に対して力発生要素１１８．１からの力Ｆを相殺する圧縮力ＦVの形態で予備負荷力を作用する圧縮バネである。この場合、上述の結果として光学モジュールに対して作用される力ＦRは、次式のように計算される（図４における力に対して示している方向が与えられたものとして）。
ＦR＝ＦV−Ｆ          （２）
【００５３】
予備負荷要素１１８．４は、図示の状態で（クランプ板１１８．６が、光学モジュール１０６．１と接触状態にある）、光学モジュール１０６．１に対して作用される最大クランプ力ＦRmaxに対応する予備負荷力ＦVを作用するように設計される。この最大クランプ力ＦRmaxは、マイクロリソグラフィ装置１０１が組み立てられているか又は輸送されている時、又はそれが作動状態にある時に予想することができる光学モジュール１０６．１に対する最悪の力の作用から判断され、この最悪の力の作用において光学モジュール１０６．１が支持構造体１１７に対してシフトすることにはならないことを確実にすべきである。光学モジュール１０６．１に対するそのような有害な力の作用は、例えば、マイクロリソグラフィ装置１０１が組み立てられているか又は輸送されている時の衝撃型の荷重の結果として発生する可能性がある。
【００５４】
一般的に、最大クランプ力ＦRmaxは、地球の重力によって引き起こされる加速度の７倍（７ｇ）に対応する力が光学モジュール１０６．１に対して作用する最悪の場合の状況に対して仮定すべきであるものに対して設計される。しかし、特に、光学デバイス１１６が組み立てられている時及び輸送されている時に、かなり高い加速度又は力が光学デバイス１１６に対して作用する可能性もある。従って、クランプ力ＦRmaxは、必要に応じてかなり高い加速度値（例えば、２０ｇに達するまでの）に適応している。
【００５５】
しかし、マイクロリソグラフィ装置１０１の通常作動中に光学モジュール１０６．１に対して通常作用するものは、地球の重力によって引き起こされる加速度の３倍（３ｇ）に対応する最大力である。力発生要素１１８．１の引張力Ｆを光学デバイス１１６に対して作用する加速度に応じて変更することにより、光学モジュール１０６．１に対する現在の動的荷重へのクランプ力ＦRの動的適合を有利に達成することができる。
【００５６】
この場合、力発生要素１１８．１の引張力Ｆは、クランプ力ＦRが、現在の荷重状況に必要とされるマグニチュードだけに常に限定されるように制御デバイス１１２によって設定される。上述の手段により、光学モジュールが常に最大クランプ力ＦRmaxでクランプされる従来のデバイスと比較して、クランプ力ＦRにおける、及び従って光学モジュール１０６．１に対して作用される応力における明らかな低減をマイクロリソグラフィ装置１０１の広範囲の作動にわたって達成することができる。上述のことは、例えば、応力誘起の複屈折のような応力誘起の影響の低減につながり、従って、マイクロリソグラフィ装置１０１において本発明によって達成することができる高い品質の像形成がもたらされる。このようにして、一般的には、本発明により、異常な衝撃荷重が存在しない通常作動においては、恒久的な最大クランプ力ＦRmaxを用いる従来のデバイスにおいて存在する値のほぼ７分の１にまで応力誘起の複屈折を低減することができる（この値は、最大クランプ力ＦRmaxの設計に依存して更にかなり低くすることができる）。
【００５７】
図４に示し、かつ上述した実施形態では、光学モジュール１０６．１に対して最大クランプ力ＦRmaxが常に作用され、従って、それぞれ制御デバイス１１２による給電異常、又は力発生要素１１８．１の供給異常があった場合、更に、その結果として引張力のゼロ値への低下があった場合には、予想することができる最悪の荷重状況においてさえも、光学モジュール１０６．１がその位置に留まることが保証される。
【００５８】
しかし、本発明の他の変形では、予備負荷要素からの予備負荷力ＦVを通常作動において予想することができる最大荷重状況（例えば、３ｇの最大加速度）だけに向けて設計し、力発生要素が、予備負荷力と同じ方向に作用する引張力Ｆを作用し、光学モジュールに対するクランプ力ＦRが力発生要素によって更に強められる結果として、この引張力Ｆが、かなり高い異常な荷重を吸収するようにすることができることは言うまでもない。この場合、力発生要素の機械的配列は、図４に示している配列と比較して、引張力Ｆが予備負荷力ＦVと同じ方向に作用するように修正すべきであることは言うまでもない。
【００５９】
輸送時でさえも、引張力Ｆ及び従ってクランプ力ＦRの動的適合が起こることを保証するためには、当然ながら制御デバイスも同様に輸送時において作動状態でなければならない。しかし、適切な信頼性のあるシールがある場合には、予想される最大荷重に対応する作動圧力を輸送における不測のイベントに向けて力発生要素の作動チャンバ内に簡単に発生させることができ（従って、最大クランプ力ＦRmaxが、光学モジュールに対して作用される）、次に、作動チャンバは、例えば、適切な弁によって密封されることは言うまでもない。次に、力発生要素は、系が適切な手法で密封される場合に、いずれかのエネルギ入力がなくても最大クランプ力ＦRmaxが光学モジュールに作用されることを恒久的に保証する予備負荷が印加された空気圧バネのように作用する。
【００６０】
予備負荷力ＦVを必ずしも図４に示している圧縮バネによって発生させる必要はないことは言うまでもない。圧縮バネの代わりに、図４に破線の輪郭１１９によって示しているように、予備負荷力ＦVを得る上で１つ又はそれよりも多くの引張バネを用いることができる。
予備負荷要素を制御デバイス１１２の制御下で調節することができる予備負荷力ＦVを有する能動的要素とすることができることも言うまでもない。予備負荷要素は、能動的に調節することができる力を発生させるあらゆる望ましい要素とすることができる。特に、予備負荷要素は、電気又は電気機械要素（例えば、圧電アクチュエータ、ローレンツアクチュエータ等）、又は前と同様に流体力発生要素（例えば、ピストンアクチュエータ、振動板アクチュエータ、又は蛇腹アクチュエータ等）であり、特に、更に別の流体筋肉要素とすることができる。
【００６１】
複数の力発生デバイス１１８を光学モジュール１０６．１と係合させることができることも言うまでもない。これは、特に、本発明による設計によってクランプされる他の設計の光学モジュールが存在する時に当て嵌まる。このようにして、例えば、回転対称な光学モジュールをクランプすべきである時に、光学モジュールの周囲を巡って分散され（好ましくは均等に）、光学モジュールを協働してクランプする複数の力発生デバイスを設けることができる。
【００６２】
図５は、マイクロリソグラフィ装置１０１を用いて実施され、光学モジュールに対して力を作用する方法の好ましい実施形態が使用される像形成工程の流れ図である。
最初に、工程の実行は、段階１２０．１で始まる。次に、段階１２０．２では、図１に示しているマイクロリソグラフィ装置１０１の構成要素が、上述したマスク１０３．１内の投影パターンの像の形成を基板１０５．１上で行うことができる状態に誘導される。
【００６３】
この場合、精密に定められたクランプ力ＦRを光学モジュール１０６．１に対して作用するのに、図４に示している配列を有利に用いることができる。この目的のために、門形枠１１８．５が支持構造体１１７に装着される前に、予備負荷要素１１８．４が、制御デバイス１１２の制御下で力発生要素１１８．１によって最大クランプ力ＦRmaxまで予備負荷が印加される。力発生要素１１８．１からの引張力Ｆは、力センサ１１２．１を用いることによって設定され、この場合は、それは、当然ながら最大クランプ力ＦRmaxに対応する。
【００６４】
次に、門形枠１１８．５は、クランプ板１１８．６が光学モジュール１０６．１と接触する時まで支持構造体１１７に向けて移動され、引張力Ｆの変化（この場合は、引張力Ｆの低下である）が、力センサ１１２．１を用いて記録される。この位置で、門形枠１１８．５は、支持構造体１１７に対して固定され、引張力Ｆは、現在の荷重状況に対応する必要な値へと低減される。この手順を用いると、光学モジュール１０６．１に対して作用するものが常に精密に定められたクランプ力ＦRであることが保証される。例えば、力発生デバイス１１８．１の引張力がゼロ値まで低減された場合には、光学モジュールは、１１８．４の予備負荷要素による最大クランプ力ＦRmaxによって精密にクランプされる。
【００６５】
段階１２０．３では、段階１２０．４におけるマイクロリソグラフィ装置１０１の作動と並行して、上述した感知手段１１３による加速度ａの現在値の感知、及び上述したクランプ力ＦRの現在値とこの現在の加速度に向けて事前設定された望ましい値ＦRSとの比較が行われる。
次に、段階１２０．５では、制御デバイス１１２は、力発生デバイス１１８が光学モジュール１０６．１に対して適切なクランプ力ＦRを作用するように、上述の手法で力発生要素１１８．１を制御する。
段階１２０．５に続いて段階１１５．６では、マイクロリソグラフィ装置を作動し続けるべきか否かを判断するために検査が行われる。作動し続けない場合には、工程の実行は、段階１２０．７において終了される。そうではない場合には、ジャンプが行われて段階１２０．３に戻る。
【００６６】
第３の実施形態
以下では、光学デバイス１１６の代わりにマイクロリソグラフィ装置１０１において用いることができる本発明による光学デバイス２１６の更に別の実施形態を図１及び図６を参照して以下に説明する。光学デバイス２１６の基本の構成及び作動は、図４に示している光学デバイス１１６のものに対応し、従って、ここで詳述するのは相違点のみとする。特に、類似の構成要素には、値を１００だけ増した参照番号を付与しており、これらの特徴に関しては上述に提供した説明を参照されたい。
【００６７】
光学デバイス１１６に対する相違点は、力発生デバイス２１８の設計だけにある。この力発生デバイス２１８は、その力発生要素として圧電要素２１８．１を含み、それを用いて、第２の実施形態と同様にクランプ力ＦRを光学デバイス２１６の現在の荷重状況に適合させることができる。この実施形態では（力発生要素２１８．１が停止している時には）、予備負荷力ＦVは、支持構造体１１７と光学モジュール１０６．１の間の力伝達線内に置かれた構成要素の弾性変形（及び特に門形枠２１８．５における弾性変形）によって得られる。この場合、予備負荷力ＦVは、通常作動において予想される最大荷重状況だけに対して（例えば、３ｇの最大加速度に対して）適応している。
【００６８】
作動状態では、力発生要素２１８．１は、予備負荷力と同じ方向に向けられた圧縮力Ｆを作用し、光学モジュールに対するクランプ力ＦRが力発生要素２１８．１によって更に強められる結果として、この圧縮力Ｆが、かなり高い異常な荷重を吸収する。この場合、圧縮力Ｆは、制御デバイス１１２の制御下で、感知手段１１３によって感知された現在の加速度ａに応じて、更に、センサデバイス１１２．１によって感知されたクランプ力ＦRに応じて設定される。
【００６９】
しかし、本発明の他の変形では、ここでもまた、力発生要素が停止される時に最大クランプ力ＦRmaxが得られ、それぞれ力発生要素が作動されるか、又は力発生要素に電圧が印加される時にクランプ力ＦRの低減が得られるようにすることができることは言うまでもない。
本発明の他の変形では、あらゆる望ましい他の電気又は電気機械要素（例えば、ローレンツアクチュエータ）、又は流体力発生要素（例えば、ピストンアクチュエータ、振動板アクチュエータ、又は蛇腹アクチュエータ等）を現在荷重状況へのクランプ力ＦRの動的な適合を行う上で用いる力発生要素として用いることができることも言うまでもない。
【００７０】
第４の実施形態
以下では、本発明による光学デバイスの更に別の好ましい実施形態３１６を図１及び図７を参照して説明する。光学デバイス３１６は、対物系１０４の一部であり、光学要素１０７．１の形態の光学モジュール及び支持構造体３１７を含む。この実施形態では、光学要素は、レンズ１０７．１の形態で設計される。レンズ１０７．１は、その外周にステップ１０７．２を有する。レンズ１０７．１は、ステップ１０７．２の領域内で力発生デバイス３１８によって支持構造体３１７に接続される。
【００７１】
力発生デバイス３１８の目的は、クランプ力ＦRをステップ１０７．２に対して及び従って光学モジュール１０７．１に対して作用し、光学モジュール１０７．１に対して外力が作用する場合でさえも、このようにして光学モジュール１０７．１を支持構造体３１７に対して事前設定された位置に保持することである。この目的のために、力発生デバイス３１８は、ここでもまた、流体力発生要素３１８．１を含む。力発生要素３１８．１は、制御デバイス３１２によって作動流体が印加される作動チャンバ３１８．２を有する。制御デバイス３１２は、ここでもまた、力発生要素３１８．１によって作用すべきである力Ｆに応じて作動チャンバ３１８．２に供給される作動流体の作動圧力を設定する。
【００７２】
前と同様に、力発生要素３１８．１は、作動チャンバ３１８．２内に第１の作動圧力ｐ1が存在する時に第１の引張力Ｆ1を作用し、作動チャンバ３１８．２内に第１の作動圧力ｐ1に対して高められた第２の作動圧力ｐ2が存在する時に第１の引張力Ｆ1に対して強められた第２の引張力Ｆ1を作用する（すなわち、ｐ1＜ｐ2に対して印加されるものは、Ｆ1＜Ｆ2である）筋肉要素の方式で形成される。上述のことが機械的制約条件によって許される限り、力発生要素３１８．１は、作動圧力に上昇がある時にその長手軸３１８．３に沿って収縮を行う。従って、エネルギの給入がある時には、力発生要素３１８．１は、その縦方向に収縮を行い（人間の筋肉と同様に）、同時に強まる引張力Ｆを印加する。
【００７３】
作動流体は、液体媒体及び気体媒体の両方とすることができる。これらの変形の両方が、用途に依存して有利とすることができる。達成する役割を特に有する可能性があるものは、特に、光学モジュール１０７．１と支持構造体３１７の間の接続に必要とされる剛性である。例えば、支持構造体３１７への光学モジュール１０７．１の特に剛性が高い接続が有利な場合には、好ましくは液体媒体が使用され、それに対して低い剛性を必要とする場合には、その圧縮性に起因して気体媒体が好ましい。
【００７４】
上述の種類の流体筋肉要素は、十分に公知であり、従って、本明細書ではこれ以上詳細に説明しないことにする。上述の種の流体筋肉要素の例は、「Ｆｌｕｉｄｉｃ  Ｍｕｓｃｌｅ  ＤＭＳＰ」又は「Ｆｌｕｉｄｉｃ  Ｍｕｓｃｌｅ  ＭＡＳ」という名称の下で販売され、「Ｆｅｓｔｏ  ＡＧ  ＆  Ｃｏ．ＫＧ」（ドイツ、エスリンゲン７３７３４）によって発行された会社案内「Ｉｎｆｏ  ５０１」（２００５年／４月発行）内に説明されている「Ｆｅｓｔｏ  ＡＧ  ＆  Ｃｏ．ＫＧ」（ドイツ、エスリンゲン７３７３４）によって生産される空気圧筋肉要素によって与えられており、上述の文献の全開示内容は、本明細書に引用によって組み込まれている。
【００７５】
筋肉要素３１８．１は、一方では、躍動又は衝撃なしに作動し、従って、光学モジュール１０７．１に対して特に穏やかに力Ｆを作用することが可能になるという利点を有する。これは、次に、筋肉要素３１８．１が作動される時に光学デバイス３１６の他の構成要素におけるいかなる偶発的な衝撃による影響も存在しないという利点を有する。筋肉要素３１８．１の更に別の利点は、作動圧力に上昇があった場合のその長手軸３１８．３に沿った収縮作動原理の理由から、更に、その得られる引張力の作用の理由から、筋肉要素３１８．１がせん断力に依存し難く、それによって力発生デバイス３１８の設計が大いに簡略化されるという事実にある。このようにして、この種のせん断力を分離するのに、又は結合された構成要素（すなわち、この場合は光学モジュール１０７．１と支持構造体３１７）の互いに対する誘導において、同じく躍動のない方式で作動する従来の流体アクチュエータ（例えば、作動圧力に上昇があった時に圧縮力を作用する従来の蛇腹アクチュエータ）と比較すると、明らかに少ない経費しか伴わない。
【００７６】
力発生要素３１８．１よって作用される力Ｆが能動的に影響を受けることを可能にするために、制御デバイス３１２に接続した感知手段３１３が設けられる。この実施形態では、感知手段３１３は、クランプ力ＦRの方向に対して直角に光学デバイス３１６に対して作用する加速度ａの現在値を感知する（光学デバイス３１６の作動状態を表す実際の状態変数値として）。
感知手段３１３は、感知したこの加速度の現在値を制御デバイス３１２へと供給する。制御デバイス３１２は、加速度ａの現在値を用いてクランプ力に対する設定値ＦRSを判断し、クランプ力に対する設定値ＦRSとその実際の値ＦRの間の既存のあらゆる差が相殺されるように作動チャンバ３１８．２内の作動圧力を設定する。
【００７７】
この目的のために、クランプ力のための更に別の調整回路が設けられる。制御デバイス３１２は、力発生要素３１８．１と運動学的に直列に配置された力発生要素３１８．１によって作用される力Ｆを測定するセンサデバイス３１２．１を含む。従って、センサデバイス３１２．１は、例えば、力測定セルなどとして設計することができる。
上述のように、クランプ力に対する設定値ＦRSは、制御デバイス３１２内で、感知手段３１３によって感知される加速度ａに応じて事前設定される。次に、制御デバイス３１２は、クランプ力の実際の値ＦRが設定値ＦRSと同じになるまで作動流体の作動圧力を修正する。
【００７８】
力発生要素３１８．１以外に、力発生デバイス３１８は、力発生デバイス３１８が光学モジュール１０７．１に対して作用する力を力発生要素３１８．１と共に定める予備負荷要素３１８．４の形態にある更に別の力発生構成要素も備える。予備負荷要素３１８．４は、力発生要素３１８．１と運動学的に平行に配置された力発生要素３１８．１の長手軸３１８．３と共直線で延びる長手軸を有する単純な機械バネとして設計される。
力発生要素３１８．１及び予備負荷要素３１８．４の各々は、一方で接合部３１８．５に接続され、他方でクランプ板３１８．６に接続される。装着状態では、接合部３１８．５は、支持構造体３１７に固定され、クランプ板３１８．６は、光学モジュール１０７．１と接触状態にある。
【００７９】
図示の実施形態では、予備負荷要素３１８．４は、装着状態で圧縮され、従って、光学モジュール１０７．１に対して力発生要素３１８．１からの力Ｆを相殺する圧縮力ＦVの形態で予備負荷力を作用する圧縮バネである。この場合、光学モジュールに対して作用される得られる力ＦRは、式２に従って次式のように計算される（図７における力に対して示している方向が与えられたものとして）。
ＦR＝ＦV−Ｆ
【００８０】
予備負荷要素３１８．４は、図示の状態で（クランプ板３１８．６が光学モジュール１０７．１と接触状態にある）、光学モジュール１０７．１に対して作用される最大クランプ力ＦRmaxに対応する予備負荷力ＦVを作用するように設計される。この最大クランプ力ＦRmaxは、マイクロリソグラフィ装置１０１が組み立てられているか又は輸送されている時、又はそれが作動状態にある時に予想することができる光学モジュール１０７．１に対する最悪の力の作用から判断され、この最悪の力の作用において光学モジュール１０７．１が支持構造体３１７に対してシフトすることにはならないことを確実にすべきである。光学モジュール１０７．１に対するこの種の有害な力の作用は、例えば、マイクロリソグラフィ装置１０１が組み立てられているか又は輸送されている時の衝撃型の荷重の結果として発生する可能性がある。
【００８１】
一般的に、最大クランプ力ＦRmaxは、地球の重力によって引き起こされる加速度の７倍（７ｇ）に対応する力が光学モジュール１０７．１に対して作用する最悪の場合の状況に対して仮定すべきであるものに対して設計される。しかし、特に、光学デバイス３１６が組み立てられている時及び輸送されている時に、かなり高い加速度又は力が光学デバイス３１６に対して作用する可能性もある。従って、クランプ力ＦRmaxは、必要に応じてかなり高い加速度値（例えば、２０ｇに達するまでの）に向けて設計される。
【００８２】
しかし、マイクロリソグラフィ装置１０１の通常作動中に光学モジュール１０７．１に対して（すなわち、レンズ１０７．１に対して）通常作用するものは、地球の重力によって引き起こされる加速度の３倍（３ｇ）に対応する最大力である。力発生要素３１８．１からの引張力Ｆを光学デバイス３１６に対して作用する加速度に応じて変更することにより、光学モジュール１０７．１に対する現在の動的荷重へのクランプ力ＦRの動的適合を有利に達成することができる。
【００８３】
この場合、力発生要素３１８．１からの引張力Ｆは、クランプ力ＦRが、現在の荷重状況に必要とされるマグニチュードだけに常に限定されるように制御デバイス３１２によって設定される。上述の手段により、光学モジュールが常に最大クランプ力ＦRmaxでクランプされる従来のデバイスと比較して、クランプ力ＦRにおける、及び従って光学モジュール１０７．１に対して作用される応力における明らかな低減をマイクロリソグラフィ装置１０１の広範囲の作動にわたって達成することができる。上述のことは、応力誘起の複屈折のような応力誘起の影響の低減につながり、従って、マイクロリソグラフィ装置１０１において本発明によって達成することができる高い品質の像形成がもたらされる。このようにして、一般的には、本発明により、異常な衝撃荷重が存在しない通常作動中には、恒久的な最大クランプ力ＦRmaxを用いる従来のデバイスにおいて存在する値のほぼ７分の１にまで応力誘起の複屈折を低減することができる（この値は、最大クランプ力ＦRmaxの設計に依存して更にかなり低くすることができる）。
【００８４】
図７に示し、かつ上述した実施形態では、光学モジュール１０７．１に対して最大クランプ力ＦRmaxが常に作用され、従って、それぞれ、制御デバイス３１２による給電異常又は力発生要素３１８．１の供給異常があった場合、更に、その結果として引張力のゼロ値への低下があった場合には、予想することができる最悪の荷重状況においてさえも、光学モジュール１０７．１がその位置に留まることが保証される。
【００８５】
しかし、本発明の他の変形では、予備負荷要素からの予備負荷力ＦVを通常作動において予想することができる最大荷重状況（例えば、３ｇの最大加速度）だけに向けて設計し、力発生要素が、予備負荷力と同じ方向に作用する引張力Ｆを作用し、光学モジュールに対するクランプ力ＦRが力発生要素によって更に強められる結果として、この引張力Ｆが、かなり高い異常な荷重を吸収するようにすることができることは言うまでもない。この場合、力発生要素の機械的配列を図４に示している配列と比較して、引張力Ｆが予備負荷力ＦVと同じ方向に作用するように修正すべきであることは言うまでもない。
【００８６】
輸送時でさえも、引張力Ｆ及び従ってクランプ力ＦRの動的適合が起こることを保証するためには、当然ながら制御デバイス３１２も同様に輸送時において作動状態でなければならない。しかし、適切な信頼性を有するシールがある場合には、予想される最大荷重に対応する作動圧力を輸送における不測のイベントに向けて力発生要素の作動チャンバ内に簡単に発生させることができ（従って、最大クランプ力ＦRmaxが光学モジュールに対して作用される）、次に、作動チャンバが、例えば、適切な弁によって密封されることは言うまでもない。次に、力発生要素は、系が適切な手法で密封される場合に、いずれかのエネルギ入力がなくても最大クランプ力ＦRmaxが光学モジュールに作用されることを恒久的に保証する予備負荷が印加された空気圧バネのように作用する。
【００８７】
予備負荷力ＦVを必ずしも図７に示している圧縮バネによって発生させる必要はないことは言うまでもない。圧縮バネの代わりに、予備負荷力ＦVを得る上で１つ又はそれよりも多くの引張バネを用いることができる（図４に破線の輪郭１１９によって示しているような配列によって行われるものと類似の手法で）。
予備負荷要素を制御デバイス３１２の制御下で調節することができる予備負荷力ＦVを有する能動的要素とすることができることも言うまでもない。予備負荷要素は、能動的に調節することができる力を発生させるあらゆる望ましい要素とすることができる。特に、予備負荷要素は、電気又は電気機械要素（例えば、圧電アクチュエータ、ローレンツアクチュエータ等）、又は前と同様に流体力発生要素（例えば、ピストンアクチュエータ、振動板アクチュエータ、又は蛇腹アクチュエータ等）であり、特に、更に別の流体筋肉要素とすることができる。
【００８８】
殆どの場合、複数の力発生デバイス３１８が光学モジュール１０７．１と係合することも言うまでもない。これは、特に、回転対称な従来の形態のものであるレンズの場合に当て嵌まる。このようにして、この場合に設けられるものは、一般的に、光学モジュールの周囲を巡って分散され（好ましくは均等に）、協働して光学モジュールをクランプする複数の力発生デバイスである。
更に別の変形では、力発生要素３１８．１によって作用される力Ｆ（光学デバイス３１６の作動状態を表す状態変数の更に別の現在値という形態にある）が能動的に影響を受けることを可能にするために、感知手段３１３は、光学デバイス３１６に対してクランプ力ＦRの方向に作用する加速度ｂの現在値を追加で感知することができる。
【００８９】
感知手段３１３は、感知したこの加速度ｂの現在値を制御デバイス３１２へと供給する。加速度ａ及びｂの現在値への参照により、制御デバイス３１２は、クランプ力に対する設定値ＦRSを判断し、クランプ力に対する設定値ＦRSとその実際の値ＦRの間の既存のあらゆる差が相殺されるように、上述の調整回路を用いて作動チャンバ３１８．２内の作動圧力を設定する。
上述のように、クランプ力に対する設定値ＦRSは、制御デバイス３１２内で、感知手段３１３によって感知される加速度ａ及びｂに応じて事前設定される。次に、制御デバイス３１２は、クランプ力の実際の値ＦRが設定値ＦRSと同じになるまで作動流体の作動圧力を修正する。
【００９０】
この場合、設定値ＦRSは、力発生要素３１８．１からの引張力Ｆが制御デバイス３１２によって設定され、一方でクランプ力ＦRが、現在荷重状況に必要とされるマグニチュードだけに常に限定されるように選択される。上述の手段により、光学モジュールが常に最大クランプ力ＦRmaxでクランプされる従来のデバイスと比較して、クランプ力ＦRにおける、及び従って光学モジュール１０７．１に対して作用される応力における明らかな低減をマイクロリソグラフィ装置１０１の広範囲の作動にわたって達成することができる。上述のことは、レンズ１０７．１における応力誘起の複屈折のような応力誘起の影響の低減につながり、従って、マイクロリソグラフィ装置１０１において本発明によって達成することができる高い品質の像形成がもたらされる。このようにして、一般的には、本発明により、異常な衝撃荷重が存在しない通常作動においては、恒久的な最大クランプ力ＦRmaxを用いる従来のデバイスにおいて存在する値のほぼ７分の１にまで応力誘起の複屈折を低減することができる（この値は、最大クランプ力ＦRmaxの設計に依存して更にかなり低くすることができる）。
【００９１】
クランプ力ＦR（必要に応じて、横方向加速度ａに応じて上述の方式で変更される）は、軸線方向加速度ｂに応じて一定に保持するようにすることができる。この場合、光学モジュールに対して作用される得られる力ＦR（この動的な場合における）は、式２において扱った静的な場合の拡張として、更に、加速度ａが一定の場合に（図７に示している力方向が与えられたものとして）、次式のように計算される。
ＦR＝ＦV−Ｆ−Ｆb＝一定          （３）
ここで、Ｆbは、慣性力に対する反力である（レンズ１０７．１の加速度ｂから生じる）。言い換えれば、この手法によって達成することができるものは、一定の加速度ａにおいて、更に、軸線方向加速度ｂに関係なく、得られる同じクランプ力がレンズ１０７．１に対して常に作用することであり、これは、クランプ力が同じであるから、レンズ１０７．１に対して印加されるクランプから生じる応力が一定に留まることを意味する。これは、例えば、応力誘起の複屈折のような応力誘起の影響の低減につながり、従って、高い品質の像形成がもたらされる。
図３に関連して説明した方法は、光学デバイス３１６を用いて等しく良好に実施することができ、かつ状態変数として感知されるものが加速度ａ、及び必要に応じて加速度ｂであり、これらの状態変数が説明された方式で考慮されることにこの時点で言及しておきたい。
【００９２】
第５の実施形態
以下では、光学デバイス３１６の代わりにマイクロリソグラフィ装置１０１において用いることができる本発明による光学デバイスの更に別の好ましい実施形態４１６を図１及び図７を参照して説明する。光学デバイス４１６の基本の構成及び作動は、図７に示している光学デバイス３１６のものに対応し、従って、ここで詳述するのは相違点のみとする。特に、類似の構成要素には、値を１００だけ増した参照番号を付与しており、これらの特徴に関しては上述に提供した説明を参照されたい。
【００９３】
光学デバイス３１６に対する相違点は、一方では、力発生デバイス４１８の設計にあるだけであり、他方では、この実施形態ではミラーなどの形態にある反射光学要素である光学モジュール４０７．１にあるだけである。
力発生デバイス４１８は、その力発生要素として圧電要素４１８．１を含み、それを用いて、第３の実施形態と同様にクランプ力ＦRを光学デバイス４１６の現在の荷重状況に動的に適合させることができる。この実施形態では（力発生要素４１８．１が停止している時には）、予備負荷力ＦVは、支持構造体３１７と光学モジュール３０７．１の間の力伝達線内に置かれた構成要素の弾性変形（及び特に接合部４１８．５における弾性変形）によって得られる。この場合、予備負荷力ＦVは、通常作動において予想される最大荷重状況だけに向けて（例えば、３ｇの最大加速度に向けて）設計される。
【００９４】
作動状態では、力発生要素４１８．１は、予備負荷力と同じ方向に作用する圧縮力Ｆを作用し、光学モジュールに対するクランプ力ＦRが力発生要素４１８．１によって更に強められる結果として、この圧縮力Ｆは、かなり高い異常な荷重を吸収する。この場合、圧縮力Ｆは、制御デバイス１１２の制御下で、感知手段１１３によって感知された現在の加速度ａに応じて、更に、センサデバイス１１２．１によって感知されたクランプ力ＦRに応じて設定される。
【００９５】
しかし、本発明の他の変形では、ここでもまた、力発生要素が停止される時に最大クランプ力ＦRmaxが得られ、それぞれ、力発生要素が作動されるか又は力発生要素に電圧が印加される時にクランプ力ＦRの低減が得られるようにすることができることは言うまでもない。
本発明の他の変形では、光学デバイス４１６に対して同様に加速度ａ及びｂに応じてクランプ力の設定を行うことができることも言うまでもない（光学デバイス３１６に関連して上述した手法で）。
【００９６】
光学デバイス４１６を用いることができるマイクロリソグラフィ装置１０１は、波長１９３ｎｍの光を用いるいわゆるＶＵＶ範囲内で作動する装置である。しかし、光学デバイス４１６は、像形成に対してあらゆる望ましい他の波長の光を用いる像形成デバイスにおいて用いることができることは言うまでもない。特に、光学デバイス４１６は、約５ｎｍから２０ｎｍのいわゆるＥＵＶ波長範囲の光、特に、約１３ｎｍの波長の光で作動するいわゆるＥＵＶシステムにおいて用いることができる。本発明を用いて達成することができる像形成誤差を招く応力誘起の影響の低減の利点が特に有利な効果を有することができるのは、まさにこれらの極めて短い波長においてである。
【００９７】
最後に、本発明の他の変形では、あらゆる望ましい他の電気又は電気機械力発生要素（例えば、ローレンツアクチュエータ）、又は流体力発生要素（例えば、ピストンアクチュエータ、振動板アクチュエータ、又は蛇腹アクチュエータ等）を現在荷重状況へのクランプ力ＦRの動的適合を行う上で用いる力発生要素において用いることができることは言うまでもない。
本発明を屈折又は反射光学要素しか用いない実施形態を参照して上述した。しかし、当然ながら、本発明は、特に、屈折光学要素、反射光学要素、又は回折光学要素を単独又はあらゆる望ましい組合せで備える光学デバイスと共に他の波長に対する像形成の場合に用いることができることを再度ここで指摘しておきたい。
【００９８】
また、本発明を対物系又は照明デバイスの光学活性要素のみが操作される実施形態を参照して上述した。しかし、当然ながら、本発明は、結像デバイスのいずれか他の光学活性構成要素、特に、マスクデバイス及び／又は基板デバイスの構成要素に力を印加するのに用いることができることを再度ここで指摘しておきたい。
最後に、以上は、本発明をマイクロリソグラフィの分野からの実施形態を参照して説明したものであることを指摘しておきたい。しかし、本発明は、特に、像形成に使用される光のあらゆる望ましい波長であらゆる望ましい他の用途又は結像工程において等しく良好に用いることができることは言うまでもない。
【符号の説明】
【００９９】
１０８  本発明による光学デバイス
１０９  光学モジュール
１１０  支持構造体
１１１  力発生デバイス
【図１】
0005460598.tif 000002
【図２】
0005460598.tif 000003
【図３】
0005460598.tif 000004
【図４】
0005460598.tif 000005
【図５】
0005460598.tif 000006
【図６】
0005460598.tif 000007
【図７】
0005460598.tif 000008
【図８】
0005460598.tif 000009